(57)【要約】【課題】  コメントを容易に把握でき、またコメントのやりとりが容易で、コミュニケーションを円滑に行うことができるウェブログコミュニケーションシステム及びウェブログコミュニケーション方法を提供することにある。【解決手段】  インターネットを介して端末にウェブログページを実現・表示させるブログページ表示手段を有するサーバが、各ウェブログページへ書き込まれたコメント及びコメントの情報を記憶する記憶手段と、ウェブログページに書き込まれたコメット及びコメントの情報を、記憶手段に記憶させるコメント情報管理手段と、記憶手段に記憶されたコメントの情報をもとに、コメントの履歴等を端末に表示させるコメント情報表示手段と備えることを特徴とする。【選択図】図１
2007004299.tif 000002
【特許請求の範囲】
【請求項１】
インターネットを介して端末にウェブログページを実現・表示させるブログページ表示手段を有するサーバが、
各ウェブログページへ書き込まれたコメント及び該コメントの情報を記憶する記憶手段と、
該ウェブログページに書き込まれたコメット及びコメントの情報を、該記憶手段に記憶させるコメント情報管理手段と、
該記憶手段に記憶されたコメントの情報をもとに、該コメントの履歴等を該端末に表示させるコメント情報表示手段と備えることを特徴とするウェブログコミュニケーションシステム。
【請求項２】
前記サーバが、前記コメント情報表示手段で表示されたコメントの履歴等をもとに、当該コメントにさらなるコメントの書き込みを前記端末で行うための再コメント書込手段を備えることを特徴とする請求項１記載のウェブログコミュニケーションシステム。
【請求項３】
前記端末からの指示により、前記コメント情報管理手段が、前記記憶手段に記憶されているコメント及びコメントの情報を削除可能であることを特徴とする請求項１又は請求項２記載のウェブログコミュニケーションシステム。
【請求項４】
前記インターネットを介して前記ウェブログページにアクセスされたアクセス履歴を前記記憶手段に記憶させるアクセス管理手段と、
該記憶手段に記憶された該アクセス履歴を前記端末に表示させるアクセス情報表示手段とを備えることを特徴とする請求項１〜請求項３のいずれかに記載のウェブログコミュニケーションシステム。
【請求項５】
インターネットを介して端末にウェブログページを実現・表示させるサーバが、
該ウェブログページに書き込まれたコメット及び該コメントの情報を記憶し、
その後、該サーバが、該記憶されたコメントの情報をもとに、該コメントの履歴等を該端末に表示させることを特徴とするウェブログコミュニケーション方法。
【請求項６】
前記サーバが、前記コメントの履歴等をもとに、当該コメントにさらなるコメントの書き込みを前記端末で可能とすることを特徴とする請求項５記載のウェブログコミュニケーション方法。
【請求項７】
前記端末からの指示により、前記サーバが、前記記憶されているコメント及びコメントの情報を削除可能であることを特徴とする請求項５又は請求項６記載のウェブログコミュニケーション方法。
【請求項８】
前記サーバが、前記インターネットを介して前記ウェブログページにアクセスされたアクセス履歴を記憶し、
該記憶されたアクセス履歴を前記端末に表示させることを特徴とする請求項５〜請求項７のいずれかに記載のウェブログコミュニケーション方法。
【発明の詳細な説明】
【技術分野】
【０００１】
本発明は、ウェブログページを用いてコミュニケーションを行うウェブログコミュニケーションシステム及びウェブログコミュニケーション方法に関する。
【背景技術】
【０００２】
従来より、インターネット上に、日々更新される日記的なウェブサイトであるウェブログページが設けられている。このウェブログページは、従来の単に日記を掲載するだけのウェブサイトとは異なり、専門的な内容についての意見表明や、他のウェブサイトの著者と議論したりすることを目的としている。そして、ウェブログページは、時系列にページの自動生成する機能や他のサイトの記事との連携機能やコメント機能などを備え、ウェブログを略したブログという名称でも呼ばれている。
尚、この先行技術は、文献公知に係るものでないため、記載すべき先行技術文献情報はない。
【発明の開示】
【発明が解決しようとする課題】
【０００３】
しかしながら、従来のウェブログページでは、他のウェブサイトの著者とコミュニケーションを取ることを目的としているものの、コメントの円滑な交換が困難であるなど、コミュニケーションの手段としては不十分であった。
【０００４】
本発明は、このような事情に鑑みてなされたもので、コメントを容易に把握でき、またコメントのやりとりが容易で、コミュニケーションを円滑に行うことができるウェブログコミュニケーションシステム及びウェブログコミュニケーション方法を提供することにある。
【課題を解決するための手段】
【０００５】
請求項１記載のウェブログコミュニケーションシステムは、インターネットを介して端末にウェブログページを実現・表示させるブログページ表示手段を有するサーバが、各ウェブログページへ書き込まれたコメント及びコメントの情報を記憶する記憶手段と、ウェブログページに書き込まれたコメット及びコメントの情報を、記憶手段に記憶させるコメント情報管理手段と、記憶手段に記憶されたコメントの情報をもとに、コメントの履歴等を端末に表示させるコメント情報表示手段と備えることを特徴とする。
【０００６】
請求項２記載のウェブログコミュニケーションシステムは、サーバが、コメント情報表示手段で表示されたコメントの履歴等をもとに、当該コメントにさらなるコメントの書き込みを端末で行うための再コメント書込手段を備えることを特徴とする。
【０００７】
請求項３記載のウェブログコミュニケーションシステムは、端末からの指示により、コメント情報管理手段が、記憶手段に記憶されているコメント及びコメントの情報を削除可能であることを特徴とする。
【０００８】
請求項４記載のウェブログコミュニケーションシステムは、インターネットを介してウェブログページにアクセスされたアクセス履歴を記憶手段に記憶させるアクセス管理手段と、記憶手段に記憶されたアクセス履歴を端末に表示させるアクセス情報表示手段とを備えることを特徴とする。
【０００９】
請求項５記載の警備システムは、インターネットを介して端末にウェブログページを実現・表示させるサーバが、ウェブログページに書き込まれたコメット及びコメントの情報を記憶し、その後、サーバが、記憶されたコメントの情報をもとに、コメントの履歴等を端末に表示させることを特徴とする。
【００１０】
請求項６記載のウェブログコミュニケーション方法は、サーバが、コメントの履歴等をもとに、コメントにさらなるコメントの書き込みを端末で可能とすることを特徴とする。
【００１１】
請求項７記載のウェブログコミュニケーション方法は、端末からの指示により、サーバが、記憶されているコメント及びコメントの情報を削除可能であることを特徴とする。
【００１２】
請求項８記載のウェブログコミュニケーション方法は、サーバが、インターネットを介してウェブログページにアクセスされたアクセス履歴を記憶し、記憶されたアクセス履歴を端末に表示させることを特徴とする。
【発明の効果】
【００１３】
請求項１の発明によれば、各ウェブログページへ書き込まれたコメントの履歴等を端末に表示させることで、どのような内容に、いつ誰がどんなコメントを寄せたのか等を容易に把握でき、ウェブログページによるコミュニケーションを円滑に行うことができる。
【００１４】
請求項２の発明によれば、表示されたコメントの履歴等をもとに、当該コメントにさらなるコメントの書き込みができることから、コメントのやりとりを容易に行うことができ、ウェブログページによるコミュニケーションを円滑に行うことができる。
【００１５】
請求項３の発明によれば、コメント及びコメントの情報を削除可能であることから、不適切等の不要なコメントを容易に削除可能で、ウェブログページによるコミュニケーションを適正且つ円滑に行うことができる。
【００１６】
請求項４の発明によれば、記憶されたアクセス履歴を端末に表示することから、どのような話題にどれだけの人が感心を持っているか容易に把握でき、ウェブログページによるコミュニケーションを円滑に行うことができる。
【００１７】
請求項５の発明によれば、各ウェブログページへ書き込まれたコメントの履歴等を端末に表示させることで、どのような内容に、いつ誰がどんなコメントを寄せたのか等を容易に把握でき、ウェブログページによるコミュニケーションを円滑に行うことができる。
【００１８】
請求項６の発明によれば、表示されたコメントの履歴等をもとに、当該コメントにさらなるコメントの書き込みができることから、コメントのやりとりを容易に行うことができ、ウェブログページによるコミュニケーションを円滑に行うことができる。
【００１９】
請求項７の発明によれば、コメント及びコメントの情報を削除可能であることから、不適切等の不要なコメントを容易に削除可能で、ウェブログページによるコミュニケーションを適正且つ円滑に行うことができる。
【００２０】
請求項８の発明によれば、記憶されたアクセス履歴を端末に表示することから、どのような話題にどれだけの人が感心を持っているか容易に把握でき、ウェブログページによるコミュニケーションを円滑に行うことができる。
【発明を実施するための最良の形態】
【００２１】
以下、本発明の形態について図面を参照しながら具体的に説明する。本発明の形態におけるウェブログコミュニケーションシステムは、インターネットを介して、ウェブログページを用いてコミュニケーションを行うためのものである。
【００２２】
図１は、本発明に係るウェブログコミュニケーションシステムの一例を示す構成図である。図２は、同ウェブログコミュニケーションシステムのコメントの一覧の表示を示す説明図である。図３は、同ウェブログコミュニケーションシステムの書き込んだコメントの一覧の表示を示す説明図である。図４は、同ウェブログコミュニケーションシステムのアクセスデータの表示を示す説明図である。図５は、同ウェブログコミュニケーションシステムのアクセスの履歴の表示を示す説明図である。図６は、同ウェブログコミュニケーションシステムのアクセスの表示を示す説明図である。
【００２３】
本実施例のウェブログコミュニケーションシステム１は、電気通信回線でありインターネットを形成する通信回線５と、通信回線５に接続されたサーバ１０と、同じく通信回線５に接続された端末２０〜２２とで構成されている。通信回線５は、インターネットに常時又は断続的に接続可能な回線である、ＷＡＮ（Wide Area Network）、ＡＤＳＬ（Asymmetric Digital
Subscriber Line）回線、専用線等の他、ＬＡＮ（Local Area Network）を経由した接続も含まれる。また、通信回線５は、有線に限られるものではなく、無線により接続されるものであってもよい。
【００２４】
サーバ１０は、通信回線５によりインターネットに接続されたウェブサーバであり、ウェブブラウザで閲覧するコンテンツを提供するコンピュータである。サーバ１０は、記憶手段であるメモリ１１を備えると共に、後述するブログページ表示手段１２、コメント情報管理手段１３、コメント情報表示手段１４、再コメント書込手段１５、アクセス管理手段１６、アクセス情報表示手段１７等をソフトウェアにより実現可能に構成されている。
【００２５】
端末２０〜２２は、通信回線５によりインターネットに接続されたコンピュータや携帯電話やＰＤＡ（Personal
Digital Assistants）等のコンテンツを閲覧し、各種情報を入力可能なものである。
【００２６】
サーバ１０で実現されるブログページ表示手段１２は、通信回線５（インターネット）を介してサーバ１０にアクセスした端末２０〜２２に、ウェブログページを実現・表示させるものである。コメント情報管理手段１３は、端末２０〜２２を介して、ブログページ表示手段１２で表示されたウェブログページに書き込まれたコメント及び書き込まれたコメントの情報を、メモリ１１に記憶させるものである。コメント情報表示手段１４は、メモリ１１に記憶されたコメントの情報をもとに、コメントの履歴等を端末２０〜２２に表示させるものである。再コメント書込手段１５は、コメント情報表示手段１３で表示されたコメントの履歴等をもとに、当該コメントにさらなるコメントの書き込みを端末２０〜２２で行うためものである。アクセス管理手段１６は、ウェブログページの閲覧等のアクセス情報をメモリ１１に記憶させるものである。アクセス情報表示手段１７は、メモリ１１にアクセス管理手段１６で記憶されたアクセス情報を端末２０〜２２に表示させるものである。
【００２７】
次に、ウェブログコミュニケーションシステム１の動作を説明する。まず、端末２０〜２２の操作者は、サーバ１０にアクセスして、ブログページ表示手段１２の各種設定を行い自らのウェブログページを構築し、通信回線５（インターネット）を介して他の端末２０〜２２の操作者がウェブログページにアクセスできる状態とする。アクセスとは、構築されたウェブログページを端末２０〜２２上に表示させることである。以下の説明では、例えば、ウェブログページを構築したのが端末２０の操作者である操作者Ａで、端末２１，２２の操作者が操作者Ｂ，Ｃとして説明を行う。また、操作者Ｂ，Ｃもそれぞれウェブログページを構築可能であり、操作者Ａの構築したウェブログページをウェブログページＡ、操作者Ｂの構築したウェブログページをウェブログページＢ、操作者Ｃの構築したウェブログページをウェブログページＣとする。
【００２８】
例えば、操作者Ｂが端末２１を用いて操作者Ａの構築したウェブログページＡの記事に対し、コメントの書き込みを行ったとする。すると、サーバ１０では、コメント情報管理手段１３により、書き込まれたコメント及びコメントの情報をメモリ１１に記憶させる。そして、図２に示すように、コメント情報表示手段１４が、メモリ１１に記憶されたコメントの情報をもとに、書き込まれたコメントの履歴を端末２０に表示可能な状態とする。コメントの履歴として表示される内容は、例えば、コメントが書き込まれた記事のタイトル、コメントの要約や抜粋、コメントを書いた人の情報（ユーザー名、ＩＰアドレス、メールアドレス等）、コメントが書かれた日時等である。尚、書き込まれたコメント自体は、ブログページ表示手段１２で、端末２０〜２２上に表示される。また、コメント情報表示手段１４によって表示可能とされたコメントの履歴は、コメントが書き込まれたウェブログページＡの構築を行った操作者Ａのみしか見ることができないようにしてもよいし、他の操作者Ｂ，Ｃが見ることができるようにしてもよい。
【００２９】
このように、各ウェブログページへ書き込まれたコメントの履歴等を端末２０〜２２に表示させることで、どのような内容に、いつ誰がどんなコメントを寄せたのか等を容易に把握でき、ウェブログページによるコミュニケーションを円滑に行うことができる。
【００３０】
また、コメントを書き込んだ操作者Ｂの側では、図３に示すように、書き込んだコメントの履歴が、コメント情報表示手段１４により端末２１上に表示されるようにしてもよい。書き込んだコメントの履歴として表示される内容は、例えば、コメントを書き込んだウェブログページの情報、書き込んだ記事のタイトル、書き込んだコメントの要約や抜粋、コメントを書き込んだ日時等である。
【００３１】
このように、自分が書き込んだコメントの履歴が表示されることで、自分がウェブログページでどのようなコミュニケーションを行っているか容易に把握でき、さらに一層、ウェブログページによるコミュニケーションを円滑に行うことができる。
【００３２】
さらに、メモリ１１に記憶されているコメント及びコメントの情報は、端末２０〜２２からの指示で、コメント情報管理手段１３が削除可能としてもよい。また、書き込んだコメントに関しても、削除を可能とすることもできる。コメント及びコメントの情報の削除は、だれでもが可能なようにすることもできるが、コメントを書き込んだ操作者が書き込んだコメントを削除できると共に、コメントが書き込まれた記事が掲載されたウェブログページを構築した操作者が、書き込まれたコメントを削除できるようにするのが一般的である。このように、端末２０〜２２からの指示により、コメント及びコメントの情報を削除可能であることから、不適切等の不要なコメントを容易に削除可能で、ウェブログページによるコミュニケーションを適正且つ円滑に行うことができる。
【００３３】
さらに、再コメント書込手段１５により、コメント情報表示手段１４で表示されたコメントの履歴をもとに、操作者Ａが書き込まれたコメントにさらなるコメントを書き込めるようにしてもよい。このように、記憶されたアクセス履歴を端末２０〜２２に表示するこで、どのような話題にどれだけの人が感心を持っているか容易に把握でき、ウェブログページによるコミュニケーションを円滑に行うことができる。
【００３４】
また、図４に示すように、例えば、ウェブログページＡの閲覧等のアクセス情報をアクセス管理手段１６によりメモリ１１に記憶させておき、アクセス情報表示手段１７で、メモリ１１にアクセス管理手段１６で記憶されたアクセス情報を端末２０〜２２に表示させるようにしてもよい。具体的に表示されるアクセス情報としては、図４に示すように、アクセスの日付、ウェブログページが表示された回数（ページビュー）、アクセスした人数数（ユニークユーザー）等がある。また、図５に示すように、誰（ニックネーム）が、いつ（日付）アクセするしたかを表示してもよい。さらに詳しく表示するのであれば、図６に示すように、アクセス元のＵＲＬ等を表示してもよい。尚、アクセス情報はだれでも見られるようにすることもできるが、アクセスされたウェブログページを構築した操作者のみが、アクセス情報を閲覧できるようにするのが一般的である。
【００３５】
このように、記憶されたアクセス履歴を端末に表示することから、どのような話題にどれだけの人が感心を持っているか容易に把握でき、ウェブログページによるコミュニケーションを円滑に行うことができる。
【産業上の利用可能性】
【００３６】
以上のように、本発明によれば、コメントを容易に把握でき、またコメントのやりとりが容易で、コミュニケーションを円滑に行うことを目的とするウェブログページに適用できる。
【図面の簡単な説明】
【００３７】
【図１】本発明に係るウェブログコミュニケーションシステムの一例を示す構成図である。
【図２】同ウェブログコミュニケーションシステムのコメントの一覧の表示を示す説明図である。
【図３】同ウェブログコミュニケーションシステムの書き込んだコメントの一覧の表示を示す説明図である。
【図４】同ウェブログコミュニケーションシステムのアクセスデータの表示を示す説明図である。
【図５】同ウェブログコミュニケーションシステムのアクセスの履歴の表示を示す説明図である。
【図６】同ウェブログコミュニケーションシステムのアクセスの表示を示す説明図である。
【符号の説明】
【００３８】
１・・・・ウェブログコミュニケーションシステム
５・・・・通信回線
１０・・・サーバ
１１・・・メモリ
１２・・・ブログページ表示手段
１３・・・コメント情報管理手段
１４・・・コメント情報表示手段
１５・・・再コメント書込手段
１６・・・アクセス管理手段
１７・・・アクセス情報表示手段
２０・・・端末
２１・・・端末
２２・・・端末
【図１】
2007004299.tif 000003
【図２】
2007004299.tif 000004
【図３】
2007004299.tif 000005
【図４】
2007004299.tif 000006
【図５】
2007004299.tif 000007
【図６】
2007004299.tif 000008